(57)【要約】【課題】庫内空間の有効利用に資する庫内灯、さらに、棚部材に上に載置される収納物の状況に関わらずより確実に庫内を照らす庫内灯を備えた冷蔵庫の提供。【解決手段】庫内空間において所定の高さに一対として配置される庫内灯を備え、前記一対の庫内灯は、庫内空間を形成する上方面と左右の面とにより形成される隅部、又は、前記左右の面と棚部材とにより形成される隅部、もしくは、いずれにも備えられることを特徴とする。また、前記庫内灯の一部を棚部材を当接支持する棚支持手段としたことを特徴とする。【選択図】図５
2020106163.tif 000002
【特許請求の範囲】
【請求項１】
庫内空間において所定の高さに一対として配置される庫内灯を備え、
前記一対の庫内灯は、庫内空間を形成する上方面と左右の面とにより形成される隅部、又は、前記左右の面と棚部材とにより形成される隅部、もしくは、いずれにも備えられることを特徴とする冷蔵庫。
【請求項２】
前記庫内灯の一部を棚部材を当接支持する棚支持手段としたことを特徴とする請求項１に記載の冷蔵庫。
【請求項３】
前記棚支持手段は、
前記庫内空間を形成する左右の面に庫内側に張り出す一対の凸状部と、
前記庫内灯から前記平面上に延設された平面部と、
前記庫内灯の他の一部であって、前記庫内空間を形成する左右の面のいずれか一方に当接される、または、極めて近接して備えられる支持補助部と、を有し、
前記平面部と前記棚部材が当接することにより前記棚部材が支持されることを特徴とする請求項２に記載の冷蔵庫。
【請求項４】
前記庫内灯は、後方係合部を備え、
前記庫内空間を形成する左右の面に、前記凸状部の略後方側であって前記後方係合部と対応する位置に後方係合孔を備えることを特徴とする請求項１乃至３のいずれか１項に記載の冷蔵庫。
【発明の詳細な説明】
【技術分野】
【０００１】
本発明は、冷蔵庫に関する。
【背景技術】
【０００２】
従来から一般的に利用される冷蔵庫は、冷蔵庫内の冷蔵室、冷凍室といった庫内空間を形成する内箱と、外郭にあたる外箱、および、その間に充填される発泡断熱材からなり、冷蔵室等の庫内は、庫内の空間を有効利用するために棚状の棚部材等で簡易的に区画されることが多い。
【０００３】
こうした冷蔵庫の庫内には、利用者が食料や飲料といった収納物の内容や位置などといった庫内の様子を視認し易くするために庫内を照らす庫内灯が備えられる。庫内灯のこうした目的から、庫内灯の形状、構成、および、その位置は様々であるが、たとえば、庫内奥側の位置に縦長に設けられるものや、特許文献１に示すように、冷蔵庫の前扉側に設けられるものなどが知られている。
【先行技術文献】
【特許文献】
【０００４】
【特許文献１】特開２０１７−１９８３８４号公報
【発明の概要】
【発明が解決しようとする課題】
【０００５】
しかしながら、庫内は棚部材等で複数に区画され、かつ、多くはその棚部材の上に沢山の食料等の収納物が載置された状態となるため、庫内灯の構成、位置、棚部材等に載置された食料の量や大きさによっては、庫内灯の光が遮られたりすることにより、利用者にとって庫内が見え難い状況があった。一方で、庫内空間の有効利用の観点から、庫内灯は庫内に取り付けられた際の省スペースが求められる。
【０００６】
このように、冷蔵庫の庫内灯については、庫内空間を極力奪うことなく、かつ、庫内の収納物の状況等の如何に関わらず、庫内を十分に照らすことのできる庫内灯を備える冷蔵庫が求められる。
【課題を解決するための手段】
【０００７】
本願発明に係る冷蔵庫は、前述の課題に鑑み、庫内空間において所定の高さに一対として配置される庫内灯を備え、前記一対の庫内灯は、庫内空間を形成する上方面と左右の面とにより形成される隅部、又は、前記左右の面と棚部材とにより形成される隅部、もしくは、いずれにも備えられることを特徴とする。
【０００８】
さらに、本願発明に係る冷蔵庫は、前記庫内灯の一部を棚部材を当接支持する棚支持手段としたことを特徴とする。
【０００９】
さらに、本願発明に係る冷蔵庫は、前記棚支持手段は、前記庫内空間を形成する左右の面に庫内側に張り出す一対の凸状部と、前記庫内灯から前記平面上に延設された平面部と、前記庫内灯の他の一部であって、前記庫内空間を形成する左右の面のいずれか一方に当接される、または、極めて近接して備えられる支持補助部と、を有し、前記平面部と前記棚部材が当接することにより前記棚部材が支持されることを特徴とする。
【００１０】
さらに、本願発明に係る冷蔵庫は、前記庫内灯は、後方係合部を備え、前記庫内空間を形成する左右の面に、前記凸状部の略後方側であって前記後方係合部と対応する位置に後方係合孔を備えることを特徴とする。
【発明の効果】
【００１１】
本実施例に係る冷蔵庫によれば、庫内上方隅部、棚部材直下の隅部に庫内灯を設置するので、庫内においてデッドスペースになりがちな当該隅部を庫内庫内灯設置のスペースとして利用できる。
【００１２】
さらに、本実施例に係る冷蔵庫によれば、前記庫内灯を、棚部材を支持する手段とするため、かつ、棚部材直下の隅部から光を照らすものであるため、棚部材上に置かれた収納物の状態の如何に関わらず、棚部材下方を含め、庫内をより確実に照らすことができる。
【００１３】
本実施例に係る冷蔵庫によれば、さらに、前記棚支持手段が、前記庫内空間を形成する左右の面に庫内側に張り出す一対の凸状部と、前記庫内灯から前記平面上に延設された平面部と、前記庫内灯の他の一部であって、前記庫内空間を形成する左右の面のいずれか一方に当接される、または、極めて近接して備えられる支持補助部と、を有するため、内箱左右面などが形成する凸状部、凸状部に対応する位置に取り付けられる庫内灯、および、支持補助部が内箱左右面に当接することにより、棚部材をより確実に支持することができる。
【００１４】
本実施例に係る冷蔵庫によれば、さらに、前記庫内灯は、後方係合部を備え、前記庫内空間を形成する左右の面には、前記凸状部の略後方側であって前記後方係合部と対応する位置に後方係合孔を備えるため、ビス止めは、冷蔵庫前方だけで済むため、取り付け作業を簡易にすることができる。
【図面の簡単な説明】
【００１５】
【図１】一般的な冷蔵庫の外観の一例と、本実施例の説明における方向の定義を付けるための説明図である。
【図２】本実施形態に係る冷蔵庫庫内を示す正面図である。
【図３】本実施形態に係る冷蔵庫庫内を示す下方からの斜視図である。
【図４】本実施形態に係る冷蔵庫庫内の一の庫内灯の近傍を示す分解図である。
【図５】本実施形態に係る冷蔵庫庫内の一の庫内灯の分解斜視図である。
【図６】本実施形態に係る冷蔵庫庫内の一の庫内灯の縦断面図である。
【図７】本実施形態に係る冷蔵庫庫内の一の庫内灯の取り付けの様子を示す説明図である。
【発明を実施するための形態】
【００１６】
以下、図面を参照して、本発明の一実施形態に係る冷蔵庫について詳細に説明するが、以下の本実施形態に係る冷蔵庫の説明にあたり、「上下」「左右」「前後」といった方向を示す語については、図１に示すとおりとする。すなわち、「上下」方向は、冷蔵庫の高さ方向に対応し、「左右」方向は、冷蔵庫の幅方向に対応し、「前後」方向は、冷蔵庫の奥行き方向に対応するものとする。これを前提に、以下、本実施形態に係る冷蔵庫１０について説明する。
【００１７】
図２に示すように、冷蔵庫１０には、食料や飲料等を収納するための略立方体状の庫内空間１１が内箱１２の形状により、もしくは、内箱１２の形状、および、断熱仕切り部材等との組み合わせにより、上方面１２５、下方面１２６、後方面１２７、左面１２８、右面１２９として形成され、前方の面にあたる部分は開口であり、当該開口に図示しない前扉が開閉可能に備えられる。
【００１８】
庫内空間１１は棚部材１３ａ，１３ｂにより複数の区画に区画される。棚部材１３ａ，１３ｂは、平板状に形成された合成樹脂とガラスからなる部材であり、庫内空間１１の左面１２８と右面１２９の間に架橋支持されることにより棚状に庫内空間１１を区画する。
【００１９】
図２、および、図３に示すように、略立方体状の庫内空間１１を形成する上方面１２５の左右辺に沿うように、すなわち、庫内空間１１の上方面１２５と、左面１２８，右面１２９とにより形成される隅部に前後方向に延びるように庫内灯３０ａ，３０ｂが備えられる。庫内灯３０ａ，３０ｂの構造は、内箱１２への組付手段が異なるものの、その他の構成、構造は、後述する庫内灯２０ａ等の構造と同様である。
【００２０】
庫内空間１１を形成する左面１２８、右面１２９には、更に、庫内灯２０ａ，２０ｂ，２０ｃ，２０ｄが備えられる。庫内灯２０ａ，２０ｂ，２０ｃ，２０ｄは、庫内灯３０ａ，３０ｂと同様に、冷蔵庫１０の略前後方向を長手方向とする細長の形状であるが、棚部材１３ａ，１３ｂの直下に配置される点で異なる。すなわち、庫内灯２０ａ，２０ｂ，２０ｃ，２０ｄは、庫内空間１１を形成する左右面と棚部材１３ａ，１３ｂにより形成される隅部のうち下方側に備えられる。
【００２１】
図４、および、図５を参照しつつ、以下、庫内灯２０ａ，２０ｂ，２０ｃ，２０ｄの構成について説明する。庫内灯２０ａ，２０ｂ，２０ｃ，２０ｄについては、庫内灯２０ａは庫内灯２０ｂと、また、庫内灯２０ｃは庫内灯２０ｄと、それぞれ一対としてほぼ同じ高さで左面１２８、もしくは、右面１２９に備えらえるものであるが、その構成は同一であるため、庫内灯２０ａを例に説明する。
【００２２】
庫内灯２０ａは、庫内空間１１における左面１２８に取り付けられるハウジング２０と、ＬＥＤ等からなる光源２４と、透光性を有する合成樹脂等により形成されるカバー２６とを有する。
【００２３】
ハウジング２０は、取り付けられた状態において庫内空間１１の左面１２８側となる側に、庫内空間１１の左面１２８と係止するための後方係止部２２１と、前方係止部２２２を備える。また、ハウジング２０は、取り付けられた際に、後述する、左面１２８に形成される凸状部１２０の平面１２１上に延設される状態となる平面部２２３と、凸状部１２０の傾斜面１２２と略平行の関係となる傾斜部２２４とを備える。
【００２４】
更に、ハウジング２０は、前述とは反対側、すなわち、左面１２８に取り付けられた状態において右方向側に、光源２４を支持する光源支持部２２４を備える。また、ハウジング２０は、後述するカバー２６を掛止するための掛止穴２２５を備える。
【００２５】
光源２４は、光源となるＬＥＤや電球等、従来から一般的に知られているものを適宜利用できるが、省エネルギー、省スペースの観点からＬＥＤが望ましい。光源２４は、図４等に示すように、板状部材に配置された複数のＬＥＤ等からなるものであってもよい。
【００２６】
カバー２６は、光源２４から照射された光を透過するために、透明、もしくは、透光性を有する素材により形成されるものであり、その素材は、合成樹脂等であってよく、従来から知られている素材を適宜利用できる。
【００２７】
カバー２６は、ハウジング２０に掛止するための断面略鉤状の掛止部２６２と、カバー２６下方に、内箱１２に当接することにより棚部材１３ａの支持を補助する支持補助部２６１とを備える。
【００２８】
図６に示すように、庫内空間１１を形成する左面１２８には、庫内空間１１内側に向かって凸状に凸状部１２０が形成される。凸状部１２０は、断面略台形状に形成されるものであり、略水平の平面１２１と、平面１２１と相対的に下方に形成される傾斜面１２２を備える。
【００２９】
ハウジング２０は、庫内空間１１を形成する左面１２８側に略水平に延設されるように形成される平面部２２３を備え、当該平面部２２３は、凸状部１２０の平面１２１上に延設されるように、かつ、ハウジング２０の傾斜部２２４が、凸状部１２０の傾斜面と略平行として沿うように左面１２８に取り付けられる。凸状部１２０の平面１２１、および、平面１２１上に位置するハウジング２０の平面部２２３により、棚部材１３ａが支持される。
【００３０】
カバー２６は、支持補助部２６１先端部が、左面１２８に当接するように、もしくは、これに極めて近接するように、掛止部２６２によりハウジング２０に掛止されることにより取り付けられる。
【００３１】
図７に示すように、ハウジング２０は、後方係合部２２１、および、前方係合部２２２は、それぞれ、内箱１２の左面１２８の凸状部１２０に対して前後方向のそれぞれの位置に形成される後方係合孔１２３、および、前方係合孔１２４により係合される。ここでは、後方係合部２２１を後方係合孔１２３に挿通するように後方側に滑り込ませることにより、後方係合部２２１が後方係合孔１２３に引っ掛かることにより係合される。前方係合部２２２、および、前方係合孔１２４による係合も、これと同様である。これにより、ハウジング２０の庫内空間１１内側への倒れ込み、および、落下がなくなる。
【００３２】
ここで、ハウジング２０の取り付け作業、すなわち、後方係合部２２１を後方係合孔１２３に、および、前方係合部２２２を前方係合孔１２４に滑り込ませる際、ハウジング２０の天面部２２３と、これと略平行に沿う位置関係にある凸状部１２０の平面１２１とがガイドとなるため、ハウジング２０の位置決めが容易である。したがって、視認性が悪い庫内後方側の後方係合部２２１を後方係合孔１２３に滑り込ませる作業が容易となる。
【００３３】
また、ハウジング２０と内箱１２とのビス止めは、ビス孔２２７および１２５のような作業者にとって視認性の良い前方側だけで足りるため、作業が容易となり、さらに、作業手順を簡素化することができる。
【００３４】
これまで、庫内灯２０ａを例に説明してきたが、本実施例に係る冷蔵庫１０においては、庫内灯は庫内空間１１の左右の面に対として備えられる。すなわち、図２に示すように、庫内灯２０ｂは、庫内灯２０ａが取り付けられた左面と対向する右面に、庫内灯２０ａと同じ高さで対称に取り付けられる。
【００３５】
これにより、棚部材１３ａを、庫内灯２０ａ，２０ｂにより、略水平に支持することができ、かつ、デッドスペースになりがちな棚部材１３ａと内箱１２の左右の面とによる隅部の空間を庫内灯設置のスペースとして有効利用することができる。これと同様に、庫内灯２０ｃ，２０ｂについても所定の高さ位置に対として備えることにより、棚部材１３ｂを支持することができる。
【００３６】
また、図２，図３等に示すように、庫内灯２０ａ，２０ｂ，２０ｃ，２０ｄは、棚部材１３ａ，１３ｂと左右の面１２８，１２９とにより形成される隅部の空間から庫内内側に向かって照らす構成であるため、棚部材１３ａ，１３ｂにより区画される空間をそれぞれ庫内灯２０ａ，２０ｂ，２０ｃ，２０ｄにより照らすことができる。
【００３７】
棚部材１３ｂ上や棚部材１３ｂ下の区画に、多くの、もしくは、大きな収納物が収納される場合でも、光が遮られることが少なくなり、より確実に庫内を明るく照らすことができる。なお、光源２４から照射される光の向きは特に限定されるものではなく、庫内空間１１の形状、広さ、棚部材などの空間区切り部材の位置等に応じて、適宜設定してよい。
【００３８】
本発明は、前述の例に限定されない。前述の説明では、主に、庫内灯２０ａ等の取り付け位置に対応する凸状部１２０が内箱１２に形成されるとしているが、庫内空間１１は、「内箱１２の形状により、もしくは、内箱１２の形状、および、断熱仕切り部材等との組み合わせ」により形成されると前述しているように、冷蔵庫１０の構成等によっては、内箱１２ではく、断熱仕切り部材やその他の部材に凸状部１２０を形成することとしてもよく、また、凸状部１２０を内箱や断熱仕切り部材等とは別部材として備えるようにしてもよい。
【００３９】
前述の説明によれば、凸状部１２０、庫内灯２０ａ，２０ｂ，２０ｃ，２０ｄの平面部２２３、および、支持補助部２６１が、棚部材１３ａを支持するための棚部材支持手段としての役割を果たしているが、これに限定されない。庫内灯２０ａ，２０ｂ，２０ｃ，２０ｄのいずれか一部が棚部材１３ａ，１３ｂと当接することにより支持する構成であればよい。
【００４０】
前述の説明は、本発明を限定する趣旨で記載されたものではない。本発明には、その趣旨を逸脱することなく、変更、改良され得るものを含み得る。また、本発明にはその等価物が含まれる。
【符号の説明】
【００４１】
１０  冷蔵庫
１１  庫内空間
１２  内箱
１２０  凸状部
１２１  平面
１２２  斜面
１２３  後方係合孔
１２４  前方係合孔
１２５  ビス孔
１２６  下方面
１２７  後方面
１２８  左面
１２９  右面
１３ａ，１３ｂ  棚部材
２０ａ，２０ｂ，２０ｃ，２０ｄ  庫内灯
２０  ハウジング
３０a,３０b  庫内灯
２２１  後方係合部
２２２  前方係合部
２２３  平面部
２２４  傾斜部
２２５  掛止穴
２２６  光源支持部
２２７  ビス孔
２６  カバー
２６１  支持補助部
２６２  掛止部
【図１】
2020106163.tif 000003
【図２】
2020106163.tif 000004
【図３】
2020106163.tif 000005
【図４】
2020106163.tif 000006
【図５】
2020106163.tif 000007
【図６】
2020106163.tif 000008
【図７】
2020106163.tif 000009